(57)【特許請求の範囲】
【請求項１】
竿体の外側に取り付けられる釣糸ガイドであって、
釣糸を案内するためのガイドリングと該ガイドリングを保持するための金属製のガイドフレームとを備え、
該ガイドフレームは、竿体に取り付けるための取付部と、該取付部から立設され、ガイドリングが装着されるリング装着孔が形成されたリング状のフレーム本体部とを備え、
ガイドフレームは、鍛造により一体的に形成されたものであり、
フレーム本体部は、全周のうち竿体に近い位置に根元部を有すると共に、該根元部の左右両側に、取付部の肉厚よりも、リング装着孔の径方向に沿った肉厚が厚い厚肉部を有していることを特徴とする釣糸ガイド。
【請求項２】
竿体の外側に取り付けられる釣糸ガイドであって、
釣糸を案内するためのガイドリングと該ガイドリングを保持するための金属製のガイドフレームとを備え、
該ガイドフレームは、竿体に取り付けるための取付部と、該取付部から立設され、ガイドリングが装着されるリング装着孔が形成されたリング状のフレーム本体部とを備え、
ガイドフレームは、鍛造により一体的に形成されたものであり、
フレーム本体部は、全周のうち竿体に近い位置に根元部を有すると共に、該根元部の左右両側に、フレーム本体部の他の部分よりも、リング装着孔の径方向に沿った肉厚が厚い厚肉部を有していることを特徴とする釣糸ガイド。
【請求項３】
根元部から後方に向けて、フレーム本体部よりも幅の小さい取付部が延設されている請求項１又は２記載の釣糸ガイド。
【請求項４】
フレーム本体部の後面の左右両側部と取付部との間をそれぞれ面で連結する補強壁部を備え、該補強壁部の少なくとも一部は厚肉部の後側に連続して位置している請求項１乃至３の何れかに記載の釣糸ガイド。
【請求項５】
リング装着孔の壁面と左右の補強壁部の内面と取付部の外面とが滑らかに連続している請求項４記載の釣糸ガイド。
【請求項６】
請求項１乃至５の何れかに記載の釣糸ガイドを備えている釣竿。
【請求項７】
竿体の外側に取り付けられる釣糸ガイドのガイドフレームであって、
竿体に取り付けるための取付部と、該取付部から立設され、ガイドリングが装着されるリング装着孔が形成されたリング状のフレーム本体部とを備え、
ガイドフレームは金属製であって鍛造により一体的に形成されたものであり、
フレーム本体部は、全周のうち竿体に近い位置に根元部を有すると共に、該根元部の左右両側に、取付部の肉厚よりも、リング装着孔の径方向に沿った肉厚が厚い厚肉部を有していることを特徴とする釣糸ガイドのガイドフレーム。
【請求項８】
竿体の外側に取り付けられる釣糸ガイドのガイドフレームであって、
竿体に取り付けるための取付部と、該取付部から立設され、ガイドリングが装着されるリング装着孔が形成されたリング状のフレーム本体部とを備え、
ガイドフレームは金属製であって鍛造により一体的に形成されたものであり、
フレーム本体部は、全周のうち竿体に近い位置に根元部を有すると共に、該根元部の左右両側に、フレーム本体部の他の部分よりも、リング装着孔の径方向に沿った肉厚が厚い厚肉部を有していることを特徴とする釣糸ガイドのガイドフレーム。
【発明の詳細な説明】
【技術分野】
【０００１】
本発明は、釣糸を案内するための釣糸ガイドと、それを備えた釣竿と、釣糸ガイドのガイドフレームに関する。
【背景技術】
【０００２】
釣糸を案内するための釣糸ガイドが釣竿の外側に装着された、いわゆる外ガイド方式の釣竿は、例えば磯竿等において多様されている。しかしながら、釣糸ガイドが竿体の外側に突出しているため、釣糸が釣糸ガイドに絡みやすいという問題がある。そこで、釣糸ガイドのガイドフレームにブリッジを設けることが行われている。
【０００３】
例えばトップガイドの構成について説明すると、トップガイドは、ガイドリングと、該ガイドリングを保持するためのリング状のリング保持部と該リング保持部の竿体に近い部分である下端部から延びる連結片とを有するリング保持体と、竿体が挿入される竿挿入孔を有する筒状体とを備えている。リング保持体と筒状体はそれぞれ金属製であって互いに別体にて形成され、リング保持体の連結片の先端部が筒状体の前端開口部に挿入されてロウ付けにより接合されている。このようなトップガイドにおいて、リング保持部の左右両側部と筒状体との間を橋渡しするようにして線状のブリッジが取り付けられる。該ブリッジは例えば金属線からなり、その前端部がリング保持部にロウ付けされ、後端部が筒状体の外周面にロウ付けされる。このようにリング保持部と筒状体との間をブリッジで連結することにより、リング保持部に釣糸が絡みにくくなる。
【０００４】
しかしながら、ブリッジとリング保持部との接合部分やブリッジと筒状体との接合部分、あるいは、リング保持体の連結片と筒状体との接合部分が腐食しやすいという問題点がある。また、その接合部分において段差が生じるため、その段差で糸絡みが生じやすいという問題点もある。
【０００５】
また、下記特許文献１のように、一枚の金属板を打ち抜くことによってブリッジとリング保持体とを一体的に形成する構成も提案されている。しかしながら、この場合でも、連結片と筒状体との接合部分や、ブリッジと筒状体との接合部分が腐食しやすく、またブリッジと筒状体との接合部分では糸絡みも生じやすい。更に、リング保持部と連結片とブリッジとが一枚の金属板から形成されているため、特定の部分の強度を十分に確保しようとすると金属板の厚さを厚くする他なく、リング保持部と連結片とブリッジの全体が肉厚となって重くなるという問題がある。
【０００６】
一方、竿体への取付部が筒状ではなく板状である釣糸ガイドにおいても同様のことが言える。例えば、トップガイドではなく二番ガイド等の釣糸ガイドでは、竿体の外周面に板状の取付部を巻糸で巻き付けて固定する。例えば、下記特許文献２では、一枚の金属板を打ち抜くことによって、竿体への取付部とリング保持部とを有するガイドフレームを一体的に形成することが提案されている。この場合にはガイドフレームが一つの部材であるためロウ付けの必要がなく、従って、部材同士の接合部分において腐食が発生したり糸絡みが発生したりするおそれがない。しかしながら、この場合も上述したように一枚の金属板を打ち抜いてガイドフレームが形成されていることから、金属板の厚さを種々選択して強度を調整するしかなく、ガイドフレームを部分的に厚肉とする等、ガイドフレームの肉厚に変化を持たせることはその構造上不可能であり、強度を確保しつつ軽量化することには限界があった。尚、取付部の自由端についてはその外面側を斜めに削って薄くすることも可能ではあるが、このように切削加工できる箇所は取付部の自由端に限られ、ガイドフレームの全体としての肉厚はやはり一定であり、軽量化には限界がある。
【０００７】
このように、従来の金属製のガイドフレームにおいては、複数の部材から構成されたものではその部材同士の接合部分における腐食や糸絡みが問題となり、一枚の金属板を打ち抜いて一体的に形成されたものでは強度を確保しつつ軽量化することに限界があった。
【先行技術文献】
【特許文献】
【０００８】
【特許文献１】特開平９−１３１１４９号公報
【特許文献２】特開平１０−４８３２号公報
【発明の概要】
【発明が解決しようとする課題】
【０００９】
それゆえに本発明は、部材同士の接合部分で生じる腐食や糸絡み等の問題を解消すると共に、必要な強度を確保しつつ更なる軽量化を図ることができる釣糸ガイド及び釣竿並びにガイドフレームを提供することを課題とする。
【課題を解決するための手段】
【００１０】
本発明は上記課題を解決すべくなされたものであって、本発明に係る釣糸ガイドは、竿体の外側に取り付けられる釣糸ガイドであって、釣糸を案内するためのガイドリングと該ガイドリングを保持するための金属製のガイドフレームとを備え、該ガイドフレームは、竿体に取り付けるための取付部と、該取付部から立設され、ガイドリングが装着されるリング装着孔が形成されたリング状のフレーム本体部とを備え、ガイドフレームは、鍛造により一体的に形成されたものであり、フレーム本体部は、全周のうち竿体に近い位置に根元部を有すると共に、該根元部の左右両側に、取付部の肉厚よりも、リング装着孔の径方向に沿った肉厚が厚い厚肉部を有していることを特徴とする。また、フレーム本体部は、全周のうち竿体に近い位置に根元部を有すると共に、該根元部の左右両側に、フレーム本体部の他の部分よりも、リング装着孔の径方向に沿った肉厚が厚い厚肉部を有していることを特徴とする。
【００１１】
該構成の釣糸ガイドのガイドフレームは鍛造により形成されたものであって、フレーム本体部と取付部とが一体的に形成されていて、ガイドフレームは一つの部材からなる。従って、ガイドフレームにロウ付け部分等の接合部分が存在しない。また、金属が鍛造によって叩かれることから強度が高く、従って、薄肉化が可能であり、強度を確保しつつガイドフレームを薄く形成することができる。そして、フレーム本体部の根元部の両側に厚い厚肉部を設けることにより、強度を十分に確保することができる。
【００１２】
特に、リング装着孔の壁面と取付部の外面とが連続するようにリング装着孔と取付部とが接近していることが好ましく、釣糸ガイドを軽量コンパクト化できる。また、リング装着孔の壁面と取付部の外面とが連続する構成であっても鍛造であるので容易に製造できる。
【００１３】
更に、根元部から後方に向けて、フレーム本体部よりも幅の小さい取付部が延設されていることが好ましく、より一層の軽量化が可能になる。また、フレーム本体部の根元部から幅の小さい取付部が後方に延びた形状であっても、鍛造によって容易に形成でき、強度の確保と軽量化を容易に両立できる。
【００１４】
また、フレーム本体部の後面の左右両側部と取付部との間をそれぞれ面で連結する補強壁部を備え、該補強壁部の少なくとも一部は厚肉部の後側に連続して位置していることが好ましい。このようにフレーム本体部と取付部とが補強壁部によって面で連結されることにより、フレーム本体部と取付部とが強固に連結一体化されることになる。特に、従来のブリッジのような線材ではなく面で連結されることにより、大きな強度を確保することができる。更には、厚肉部の後側に補強壁部の少なくとも一部が連続して位置して、厚肉部と補強壁部の少なくとも一部が竿体の中心線の方向に連続することにより、厚肉部と補強壁部とが前後方向に一体となってフレーム本体部と取付部との境界部分を補強することになり、より一層高い強度が確保され、それに伴ってその他の部分、特に取付部の肉厚を薄くできる。
【００１５】
そして更に、リング装着孔の壁面と左右の補強壁部の内面と取付部の外面とが滑らかに連続していることが好ましく、強度もより一層高くなるうえに糸絡みの発生も防止できる。
【００１６】
また、取付部は筒状であり、該取付部の内側に竿体が挿入される構成であることが好ましく、筒状の取付部であっても鍛造によってフレーム本体部と共に一体的に形成することができる。
【００１７】
また、取付部における竿挿入孔の前端が開口していることが好ましく、竿挿入孔の前端が開口している、即ち、竿挿入孔を両端開口の貫通孔とすることで、取付部が薄肉であって竿挿入孔が小径であっても、竿挿入孔を高精度に形成できる。
【００１８】
また、本発明に係る釣竿は、このような釣糸ガイドを備えるものである。
【００１９】
また、本発明に係る釣糸ガイドのガイドフレームは、竿体の外側に取り付けられる釣糸ガイドのガイドフレームであって、竿体に取り付けるための取付部と、該取付部から立設され、ガイドリングが装着されるリング装着孔が形成されたリング状のフレーム本体部とを備え、ガイドフレームは金属製であって鍛造により一体的に形成されたものであり、フレーム本体部は、全周のうち竿体に近い位置に根元部を有すると共に、該根元部の左右両側に、取付部の肉厚よりも、リング装着孔の径方向に沿った肉厚が厚い厚肉部を有していることを特徴とする。また、フレーム本体部は、全周のうち竿体に近い位置に根元部を有すると共に、該根元部の左右両側に、フレーム本体部の他の部分よりも、リング装着孔の径方向に沿った肉厚が厚い厚肉部を有していることを特徴とする。
【発明の効果】
【００２０】
以上のように、ガイドフレームが鍛造により一体的に形成されているので、ロウ付け部分等の接合部分が存在せず、その接合部分における腐食や糸絡みの発生が防止される。また、ガイドフレームが鍛造により形成されているので、薄肉化しても十分に強度を確保することができるうえに、肉厚に変化を持たせることができ、従って、ガイドフレームを全体として軽量化しつつ強度を確保することができる。
【図面の簡単な説明】
【００２１】
【図１】本発明の一実施形態における釣糸ガイドのガイドフレームを示す斜視図。
【図２】同ガイドフレームを後方から竿体の軸線方向に沿って見た図。
【図３】同ガイドフレームの正面図。
【図４】図２のＡ−Ａ断面図。
【図５】図４のＢ−Ｂ断面図。
【図６】図４のＣ−Ｃ端面図。
【図７】本発明の他の実施形態における釣糸ガイドのガイドフレームを示す図４に対応した断面図。
【図８】本発明の他の実施形態における釣糸ガイドのガイドフレームを示す斜視図。
【発明を実施するための形態】
【００２２】
以下、本発明の一実施形態に係る釣糸ガイドについて図１〜図６を参酌しつつ説明する。本実施形態における釣糸ガイドは、釣糸を直接案内するためのガイドリング２と、該ガイドリング２を保持するためのガイドフレーム３とを備えている。尚、ガイドリング２は図２にのみ二点鎖線で示している。釣糸ガイドは、竿体４（釣竿）の竿先に装着され固定されるトップガイドである。
【００２３】
ガイドリング２は、図２に二点鎖線で示しているように例えば円形の環状である。但し、ガイドリング２の形状は任意であって楕円形や長円形等であってもよく、何れにしてもリング状（環状）である。本実施形態においてはガイドリング２が円形の場合について説明する。ガイドリング２は、例えばＳｉＣ（シリコンカーバイト）に代表されるセラミック等の耐摩耗性に優れた硬質材料からなり、釣糸が挿通する糸挿通孔を有しており、内周面を釣糸が摺動することで釣糸を直接案内する。
【００２４】
ガイドフレーム３は、ガイドリング２を装着するためのリング装着孔１０を有している。該リング装着孔１０にガイドリング２が挿入され、ガイドリング２の外周面がリング装着孔１０の壁面で保持されると共に、ガイドリング２がガイドフレーム３に接着により固定されている。
【００２５】
ガイドフレーム３は、竿体４に取り付けるための取付部１１と、該取付部１１から立設されてリング装着孔１０を有するフレーム本体部１２とを備えており、金属製であって鍛造により一体的に形成されたものである。即ち、取付部１１とフレーム本体部１２とが別々に形成されたものではなく、鍛造によって一体的に形成されて一つの部材として構成されたものである。ガイドフレーム３の材質は、種々の金属であってよく、例えば、ステンレスやチタン（純チタンやチタン合金）を例示できる。特に、軽量化にはチタンが有利であり、トップガイドに適している。尚、竿体４の中心線に対して直交する方向であって、フレーム本体部１２が立ち上がる方向を上側とし、それとは逆に竿体４に近づく方向を下側として説明することがある。図４において、符号Ｚ１が上側であり、符号Ｚ２が下側である。
【００２６】
取付部１１は、筒状に形成されており、その内側に竿体４が挿入される。即ち、取付部１１は竿体４が挿入される竿挿入孔１３を有している。該竿挿入孔１３は少なくとも後端が開口しているものであるが、本実施形態においては前端も開口している両端開口のものであって貫通孔となっている。該竿挿入孔１３に竿体４の先端部が後側から挿入されて接着により固定される。従って、竿挿入孔１３の中心線は竿体４の中心線と一致する。尚、取付部１１の前端面１１ａは、竿挿入孔１３の中心線に対して直交した面であってもよいが、本実施形態では図４のように上側から下側に向けて斜め後方にカットされた傾斜面となっている。即ち、取付部１１の前端面１１ａは、フレーム本体部１２とは反対側に向けて斜め後方に傾斜している。尚、竿挿入孔１３も鍛造によって形成されるが、鍛造によって形成した後に、後加工として竿挿入孔１３の壁面にリーマ加工を施して高精度化することが好ましい。竿挿入孔１３を貫通孔とすると、竿挿入孔１３の壁面を後加工することが容易になってその寸法精度を高めることができる。特に、材質がチタンの場合に好適である。但し、後加工は任意である。
【００２７】
また、図４のように、取付部１１の肉厚は全体として薄肉である。取付部１１の肉厚は、一部を除く大部分である主要部において略一定であり、その一部は他の部分（主要部）に比して厚肉となっている。取付部１１の肉厚は本実施形態においては竿挿入孔１３の径方向の肉厚であるが、後述するように取付部１１が板状である場合にはその板厚の方向の寸法であり、その方向は即ち、竿体４の径方向である。取付部１１において相対的に厚肉とされた部分は、前側の部分であって且つ全周のうちフレーム本体部１２側である上側の部分である。取付部１１の大部分の領域である主要部における肉厚を基本肉厚Ｄ１と称することにすると、その基本肉厚Ｄ１は例えば０．１〜０．５ｍｍと薄く、好ましくは０．１〜０．３ｍｍであり、より好ましくは０．１〜０．２ｍｍである。取付部１１の基本肉厚Ｄ１を薄くすることにより、取付部１１の後端部１１ｂにおける竿体４との段差を小さくすることができ、取付部１１の後端部１１ｂにおける糸絡みを防止することができる。従って、取付部１１の肉厚は、前端部よりも後端部１１ｂの方を薄くすることが好ましい。尚、取付部１１において相対的に厚肉とされた部分から後方に向けて徐々に薄肉となって基本肉厚Ｄ１へと移行している。
【００２８】
フレーム本体部１２は、取付部１１の前端部から立ち上がっている。フレーム本体部１２は取付部１１に対して前側即ち竿先側に向けて傾倒するように立ち上がっていてもよく、ガイドリング２の中心線が竿体４の中心線に対して傾斜していてもよいが、本実施形態では取付部１１に対して直角に立ち上がっており、従って、ガイドリング２の中心線、リング装着孔１０の中心線５０、竿体４の中心線、及び取付部１１の中心線は互いに平行である。フレーム本体部１２は全体としてリング状であり、該フレーム本体部１２の全周のうち竿体４に近い根元部１２ａが取付部１１の前端部の全周のうちの上部を構成しており、そのフレーム本体部１２の根元部１２ａから後方に向けて取付部１１が延びている。また、フレーム本体部１２のリング装着孔１０は取付部１１に対して接近して設けられており、リング装着孔１０の壁面と取付部１１の外周面とが連続する程度にリング装着孔１０は取付部１１に接近配置されている。
【００２９】
フレーム本体部１２の肉厚Ｄ２それは即ち径方向の肉厚である。フレーム本体部１２の径方向とはリング装着孔１０の径方向であってリング装着孔１０の中心線５０に対して直交する方向である。フレーム本体部１２の肉厚Ｄ２はフレーム本体部１２の軸線方向（前後方向）の長さよりも小さく、従って、フレーム本体部１２はリング装着孔１０の中心線５０の方向に沿って短い長さで延びる筒状でもある。また、図５のように、フレーム本体部１２の肉厚Ｄ２は、その根元部１２ａ及びその左右両側の部分を除いて略一定であり、フレーム本体部１２の全周のうち根元部１２ａと左右両側の部分を除く主要部における肉厚Ｄ２は、取付部１１の基本肉厚Ｄ１よりも大きい。
【００３０】
そして、フレーム本体部１２と取付部１１との境界部分には、取付部１１よりも肉厚の厚い厚肉部１４を備えている。図５のように、フレーム本体部１２の根元部１２ａの両側にはそれぞれフレーム本体部１２の他の部分（例えば頂上部）よりも厚肉となった厚肉部１４が形成されている。該厚肉部１４の肉厚は、フレーム本体部１２の他の部分（主要部）の肉厚よりも厚く、取付部１１の主要部の肉厚（基本肉厚Ｄ１）よりも厚い。
【００３１】
このように形成されたフレーム本体部１２と取付部１１との間を面で連結するように板状の補強壁部１５が左右一対形成されている。具体的には、フレーム本体部１２の後面の左右両側部と取付部１１との間に補強壁部１５が形成されている。該補強壁部１５は、図４及び図６のように、フレーム本体部１２の全周のうち、リング装着孔１０の中心線５０の近傍の箇所から下側の角度範囲に亘って形成されている。詳細には、補強壁部１５は、フレーム本体部１２の全周のうち、リング装着孔１０の中心線５０よりも上側の箇所Ｓから取付部１１に至るまでの角度範囲に亘って形成されている。また、補強壁部１５は、フレーム本体部１２の後面から後方に向けて延びており、補強壁部１５の上縁１５ａはフレーム本体部１２の後面から取付部１１に向けて斜め下方に傾斜して延びている。補強壁部１５の上縁１５ａは後方且つ下方傾斜であることが好ましく、直線状であってもよいが、本実施形態では下側凸の弧を描くように湾曲して延びている。そして、補強壁部１５の上縁１５ａは、取付部１１の前後方向中間部Ｅに達している。また、補強壁部１５は、リング状であるフレーム本体部１２の下側所定領域が部分的に後方に延長されたものでもあり、補強壁部１５の内面は、フレーム本体部１２の内周面、即ち、リング装着孔１０の壁面と滑らかに連続しており、また、取付部１１の外周面とも滑らかにつながっている。そして、上述した厚肉部１４の後側に補強壁部１５の下部が位置している。即ち、厚肉部１４と補強壁部１５の下部は互いに前後方向に連続していて、厚肉部１４と補強壁部１５とが一体となってフレーム本体部１２と取付部１１との境界部分を補強している。
【００３２】
尚、ガイドフレーム３をフレーム本体部１２の頂上部側から見た正面図を図３に示している。図３において符号Ｘで示している方向が前後方向であり、符号Ｙで示している方向が左右方向である。補強壁部１５はフレーム本体部１２の後面から取付部１１の前後方向中間部Ｅまで延びている。そして、取付部１１とフレーム本体部１２の左右方向の寸法を比較すると、取付部１１の左右方向の寸法は、フレーム本体部１２の左右方向の寸法よりも小さく、１／２以下となっている。本実施形態において、取付部１１は筒状であるため、その取付部１１の左右方向の寸法は取付部１１の外径であり、また、フレーム本体部１２はリング状であるため、そのフレーム本体部１２の左右方向の寸法はフレーム本体部１２の外径である。従って、取付部１１はフレーム本体部１２よりも小径であって、詳細には１／２以下である。また、補強壁部１５がフレーム本体部１２から取付部１１へと後方に延びているので、ガイドフレーム３の左右方向の寸法は、フレーム本体部１２の後面から取付部１１の前後方向中間部Ｅにかけて、後方に向けて徐々に小さくなっていく。
【００３３】
以上のように構成されたガイドフレーム３を備えた釣糸ガイドはトップガイドとして竿体４の先端部に装着されるが、ガイドフレーム３が鍛造によって一体的に形成されていて一つの部材からなり、部材同士の接合部分が存在しないので、接合部分における腐食の問題が生じない。また、部材同士の接合部分がないので、その接合部分において発生しやすい糸絡みの問題も解消される。そして、ガイドフレーム３は、それを構成する金属が鍛造によって叩かれていることから強度が高く、従って、薄肉化が可能であって、強度を確保しつつガイドフレーム３を薄く形成することができる。即ち、取付部１１についてはそれ程大きな強度を必要としないことから最も薄く形成することができ、また、フレーム本体部１２についても薄肉化できる。その一方、フレーム本体部１２と取付部１１との境界部分には厚肉部１４を設けることにより、最も強度が必要になる境界部分の強度を十分に確保することができる。鍛造であるため、肉厚を局所的に厚くすることは容易であり、従って、境界部分に厚肉部１４を設けて十分な強度を確保することができる。また、筒状である取付部１１を極めて薄く形成できるので、その後端部１１ｂにおける竿体４との間の段差を極小とすることができ、そこにおいて発生しやすい糸絡みを防止することができる。
【００３４】
また、リング装着孔１０の壁面と取付部１１の外周面とが連続する程度までリング装着孔１０と取付部１１とが接近しているので、ガイドフレーム３を全体として軽量コンパクト化できる。更に、リング状のフレーム本体部１２の根元部１２ａから後方に向けて取付部１１が延設されているので、ガイドフレーム３をより一層コンパクトにできて軽量化が可能になる。但し、二番ガイド等においては前側にも取付部１１が延びていてもよい。更に、左右の補強壁部１５の内面も、リング装着孔１０の壁面及び取付部１１の外周面と滑らかに連続しているので、ガイドフレーム３の強度もより一層高くなり、更には糸絡みの発生も防止できる。
【００３５】
また、フレーム本体部１２の後面の左右両側部と取付部１１との間が左右一対の補強壁部１５によって面でそれぞれ連結されているので、フレーム本体部１２と取付部１１とが強固に連結一体化されることになる。特に、従来のブリッジのような細い線材ではなく補強壁部１５という面で連結しているので、大きな強度を確保することができる。そして、厚肉部１４の後側に補強壁部１５の下部が位置していて両者が前後方向に連続一体化しているので、厚肉部１４と補強壁部１５とが一体となってフレーム本体部１２と取付部１１との境界部分を補強し、境界部分の強度をより一層高めることができると同時に、その他の部分の肉厚を薄くすることができ、特に取付部１１の肉厚を薄くすることができる。
【００３６】
また、リング装着孔１０の壁面と取付部１１の外周面と補強壁部１５の内面が連続するような形状であっても鍛造であるので容易に製造でき、フレーム本体部１２の根元部１２ａから幅の小さい取付部１１が直接後方に延びた形状であっても、鍛造によって容易に形成でき、強度の確保と軽量化を容易に両立できる。また、取付部１１が小径の筒状であっても鍛造によってフレーム本体部１２と共に一体的に形成することができる。
【００３７】
尚、本実施形態では竿挿入孔１３の前端が開口する構成であったが、前端が閉塞し、後端のみ開口する構成であってもよい。
【００３８】
また、釣糸ガイドは、上述したようなトップガイドには限られず、二番ガイドや三番ガイド等であってもよい。また、竿体４の外周面に取付固定される構成の他、振り出し竿のように竿体４の外周面に遊動自在に装着される遊動ガイドであってもよい。遊動ガイドの場合も同様に取付部１１は筒状となる。
【００３９】
また、取付部１１が筒状ではなく図７のように板状のものであってもよい。その場合、例えば、図示しない巻糸によって取付部１１を竿体４の外周面に巻き付けるようにして固定することができる。このように取付部１１が板状であっても、同様にそれを薄肉とすることができるため、取付部１１の後端部１１ｂにおける竿体４との段差を小さくすることができ、そこで発生しやすい糸絡みを効果的に防止することができる。
【００４０】
また更に、リング装着孔１０が大きく竿体４から離れた構成であってもよい。例えば、図８のように、フレーム本体部１２が支持脚部２１を設けた構成であってもよい。即ち、リング装着孔１０が形成されていてそのリング装着孔１０にガイドリング２を挿入することによってそれを保持するリング保持部２０と、竿体４に取り付けるための取付部１１との間に、支持脚部２１を設けてもよい。該支持脚部２１の長さを種々設定することによってガイドリング２の竿体４からの離間距離を設定することができる。そして、このように支持脚部２１を設けた構成では、特にフレーム本体部１２と取付部１１との間の境界部分の強度、即ち、支持脚部２１と取付部１１との間の境界部分の強度が重要となるが、その境界部分に厚肉部１４を設けてそこを局所的に厚肉とすることにより、フレーム本体部１２と取付部１１を薄肉化でき、ガイドフレーム３の軽量化と強度確保を両立できる。この形態のようにフレーム本体部１２と取付部１１をそれぞれ板状としている場合には、厚肉部１４はその板厚方向に厚みを増加して形成できる。尚、図８では、取付部１１を板状としているが、筒状であっても同様である。
【符号の説明】
【００４１】
２    ガイドリング
３    ガイドフレーム
４    竿体
１０    リング装着孔
１１    取付部
１１ａ  前端面
１１ｂ  後端部
１２    フレーム本体部
１２ａ  根元部
１３    竿挿入孔
１４    厚肉部
１５    補強壁部
１５ａ  上縁
２０    リング保持部
２１    支持脚部
５０    リング装着孔の中心線
【図１】
0006443975.tif 000002
【図２】
0006443975.tif 000003
【図３】
0006443975.tif 000004
【図４】
0006443975.tif 000005
【図５】
0006443975.tif 000006
【図６】
0006443975.tif 000007
【図７】
0006443975.tif 000008
【図８】
0006443975.tif 000009